(57)【要約】【課題】人体通信によって装置間で情報を送受信する際に、事前の設定を省略して送受信処理を簡略化することが可能な情報処理装置を提供する。【解決手段】接触又は近接された人体の一部を介して信号を送受信する人体通信部と、前記人体に前記人体通信部が接触または近接されたことを検出する接続検出部と、前記人体に前記人体通信部が接触または近接されたことを前記接続検出部が検出すると、前記人体通信部から送信される接続順位情報の返信を、前記人体に接続されている他装置へ要請する信号を生成する信号発生部と、前記信号発生部が生成した前記信号に応じて前記人体通信部が受信した接続順位情報に基づいて自装置の接続順位を設定する接続順位設定部と、を備える、情報処理装置が提供される。【選択図】図１
2013157789.tif 000002
【特許請求の範囲】
【請求項１】
接触又は近接された人体の一部を介して信号を送受信する人体通信部と、
前記人体に前記人体通信部が接触または近接されたことを検出する接続検出部と、
前記人体に前記人体通信部が接触または近接されたことを前記接続検出部が検出すると、前記人体通信部から送信される接続順位情報の返信を、前記人体に接続されている他装置へ要請する信号を生成する信号発生部と、
前記信号発生部が生成した前記信号に応じて前記人体通信部が受信した接続順位情報に基づいて自装置の接続順位を設定する接続順位設定部と、
を備える、情報処理装置。
【請求項２】
前記接続順位設定部が設定した自装置の接続順位と前記他装置の接続順位とに基づいて情報を送信または受信する情報通信部をさらに備える、請求項１に記載の情報処理装置。
【請求項３】
前記情報通信部は、自装置の接続順位の方が前記他装置の接続順位より高い場合に、自装置を送信元として情報を送信する、請求項２に記載の情報処理装置。
【請求項４】
前記情報通信部は、自装置の接続順位の方が前記他装置の接続順位より低い場合に、自装置を送信元として情報を送信する、請求項２に記載の情報処理装置。
【請求項５】
前記情報通信部は、前記他装置との間の送信または受信を人体通信以外の通信によって実行する、請求項２に記載の情報処理装置。
【請求項６】
前記情報通信部が送受信する情報はコンテンツデータである、請求項２に記載の情報処理装置。
【請求項７】
前記接続順位設定部は、前記人体通信部が接続順位情報を所定時間受信しなかった場合は、自装置の接続順位情報を１位に設定する、請求項１に記載の情報処理装置。
【請求項８】
前記接続順位設定部が設定した自装置の接続順位と前記他装置の接続順位とに基づいて決定される１つの画像を拡大表示する際の画像表示領域に従って画像を表示する画像表示部をさらに備える、請求項１に記載の情報処理装置。
【請求項９】
接触又は近接された人体の一部を介して信号を送受信する人体通信ステップと、
前記人体が接触または近接されたことを検出する接続検出ステップと、
前記人体が接触または近接されたことを前記接続検出ステップで検出すると、前記人体通信ステップによって送信される接続順位情報の返信を要請する信号を生成する信号生成ステップと、
前記信号生成ステップで生成された前記信号に応じて人体通信ステップで受信した接続順位情報に基づいて自装置の接続順位を設定する接続順位設定ステップと、
を備える、情報処理方法。
【請求項１０】
コンピュータに、
接触又は近接された人体の一部を介して信号を送受信する人体通信ステップと、
前記人体が接触または近接されたことを検出する接続検出ステップと、
前記人体が接触または近接されたことを前記接続検出ステップで検出すると、前記人体通信ステップによって送信される接続順位情報の返信を要請する信号を生成する信号生成ステップと、
前記信号生成ステップで生成された前記信号に応じて人体通信ステップで受信した接続順位情報に基づいて自装置の接続順位を設定する接続順位設定ステップと、
を実行させる、コンピュータプログラム。
【発明の詳細な説明】
【技術分野】
【０００１】
本開示は、通信装置、通信方法及びコンピュータプログラムに関する。
【背景技術】
【０００２】
低周波信号を用いて、人体などに誘導される静電界、準静電界及び人体を流れる微弱な電流を介して通信する人体通信技術が開示されている（特許文献１，２参照）。特許文献１に記載の通信技術は、人体を導電体とみなして通信することを特徴としている。特許文献２に記載の通信技術は、人体の表面に発生する準静電界を利用して通信速度を向上させることを特徴としている。
【０００３】
また、特許文献２に記載の通信技術は、準静電界の周波数を用いることによって、遠方の不特定な方向に電波を飛ばす通常の無線通信と比較し、外部に電波を漏らすこと無く、人体と機器との接触によってのみ通信が可能になることを特徴としている。このように、人体通信では従来の無線通信等と比較して、セキュリティの高い通信が可能となっている。
【０００４】
このように、人体通信はそのセキュリティ性の高さから、事前の認証作業を省略するなどして、直感的かつ容易に接続対象を指定できるという利点がある。また、送受信どちらも行える機能が搭載された人体通信モジュールが開発されるなど、人体通信に対する期待はますます大きくなってきている。
【先行技術文献】
【特許文献】
【０００５】
【特許文献１】特表１１−５０９３８０号公報
【特許文献２】特開２００６−３０３７３６号公報
【発明の概要】
【発明が解決しようとする課題】
【０００６】
人体通信に際して、人体に２つ、またはそれ以上のデバイスが接続された場合に、通信を実行するデバイスを限定したり、送受信の順序を定めたりする場合に、通信前にこれらの設定を指定しておく必要があった。人体通信は、直前の認証作業を必要とせず、直感的かつ容易に接続対象を指定できることが利点であり、その利点を考慮した場合に、通信前に予め接続順序や送受信機能を指定する作業は、その利点を損ねてしまう。
【０００７】
そこで、本開示は、上記問題に鑑みてなされたものであり、本開示の目的とするところは、人体通信によって装置間で情報を送受信する際に、事前の設定を省略して送受信処理を簡略化することが可能な、新規かつ改良された通信装置、通信方法及びコンピュータプログラムを提供することにある。
【課題を解決するための手段】
【０００８】
本開示によれば、接触又は近接された人体の一部を介して信号を送受信する人体通信部と、前記人体に前記人体通信部が接触または近接されたことを検出する接続検出部と、前記人体に前記人体通信部が接触または近接されたことを前記接続検出部が検出すると、前記人体通信部から送信される接続順位情報の返信を、前記人体に接続されている他装置へ要請する信号を生成する信号発生部と、前記信号発生部が生成した前記信号に応じて前記人体通信部が受信した接続順位情報に基づいて自装置の接続順位を設定する接続順位設定部と、を備える、情報処理装置が提供される。
【０００９】
かかる構成によれば、人体通信部は、接触又は近接された人体の一部を介して信号を送受信し、接続検出部は、前記人体に前記人体通信部が接触または近接されたことを検出する。そして、信号発生部は、前記人体に前記人体通信部が接触または近接されたことを前記接続検出部が検出すると、前記人体通信部から送信される接続順位情報の返信を、前記人体に接続されている他装置へ要請する信号を生成し、接続順位設定部は、前記信号発生部が生成した前記信号に応じて前記人体通信部が受信した接続順位情報に基づいて自装置の接続順位を設定する。その結果、かかる情報処理装置は、人体への接触のみで自装置の人体への接続順位を設定することができるので、人体通信によって装置間で情報を送受信する際に、事前の設定を省略して送受信処理を簡略化することが可能となる。
【００１０】
また本開示によれば、接触又は近接された人体の一部を介して信号を送受信する人体通信ステップと、前記人体が接触または近接されたことを検出する接続検出ステップと、前記人体が接触または近接されたことを前記接続検出ステップで検出すると、前記人体通信ステップによって送信される接続順位情報の返信を要請する信号を生成する信号生成ステップと、前記信号生成ステップで生成された前記信号に応じて人体通信ステップで受信した接続順位情報に基づいて自装置の接続順位を設定する接続順位設定ステップと、を備える、情報処理方法が提供される。
【００１１】
また本開示によれば、コンピュータに、接触又は近接された人体の一部を介して信号を送受信する人体通信ステップと、前記人体が接触または近接されたことを検出する接続検出ステップと、前記人体が接触または近接されたことを前記接続検出ステップで検出すると、前記人体通信ステップによって送信される接続順位情報の返信を要請する信号を生成する信号生成ステップと、前記信号生成ステップで生成された前記信号に応じて人体通信ステップで受信した接続順位情報に基づいて自装置の接続順位を設定する接続順位設定ステップと、を実行させる、コンピュータプログラムが提供される。
【発明の効果】
【００１２】
以上説明したように本開示によれば、人体通信によって装置間で情報を送受信する際に、事前の設定を省略して送受信処理を簡略化することが可能な、新規かつ改良された通信装置、通信方法及びコンピュータプログラムを提供することができる。
【図面の簡単な説明】
【００１３】
【図１】人体通信の原理について簡単に説明するための説明図である。
【図２】人体通信の一利用形態について説明するための説明図である。
【図３】本開示の一実施形態にかかる通信装置を用いた通信システムの構成を示す説明図である。
【図４】本開示の一実施形態にかかる情報処理装置を用いた通信システムの動作を示す流れ図である。
【図５】情報処理装置１００のハードウエア構成例を示す説明図である。
【図６】本開示の一実施形態にかかる情報処理装置を用いた通信システムの適用例を示す説明図である。
【図７】本開示の一実施形態にかかる情報処理装置を用いた通信システムの適用例を示す説明図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
＜１．本開示の一実施形態＞
［人体通信の概要］
［人体通信の利用形態］
［情報処理装置の構成］
［情報処理装置の動作］
【００１６】
＜１．本開示の一実施形態＞
［人体通信の概要］
まず、人体通信の概要について説明する。人体通信技術は、例えば、人体表皮に当接された状態で装着される人体側通信機と、人体の近傍に機器側通信機との間によって通信する技術である。人体通信機側の電極を介して人体に交流電圧を印加することで、人体通信機及び機器側通信機における各電極間に介在する人体を媒体としたコンデンサの作用により、機器側通信機の電極で生ずる静電誘導現象を用いて、簡単な情報データを送受信することができる。
【００１７】
人体通信の原理について簡単に説明する。図１は、人体通信の原理について簡単に説明するための説明図である。図１の例において、人体１０は、送信機（情報処理装置１００）を身に付けている。また、図１の例では、人体１０が受信機（情報処理装置２００）に触れている。また、送信機及び受信機は、それぞれ信号電極とグランド電極とを有する。そして、送信機及び受信機の信号電極は人体１０に接触している。なお、信号電極は、人体１０に直接接触している必要はない。例えば、信号電極と人体１０との間に服などが介在していてもよい。
【００１８】
送信機の信号電極に交流電圧を印加すると、人体１０は誘電体であるため、人体１０の周辺に電界（近傍界１５）が発生する。例えば、３０ＭＨｚの周波数帯を利用する場合、人体１０の比誘電率は約９０程度であるため、人体１０の表面には強い近傍界１５が生じる。この近傍界１５を介して、送信機の信号電極から発せられた信号が、受信機の信号電極に到達する。なお、人体通信には、空間伝搬とならず、かつ、人体防護指針の厳しくない周波数帯（例えば、３０ＭＨｚ以下）が好適に利用される。
【００１９】
さて、ここで重要なのは信号の帰線となるグランド側の振る舞いである。送信機のグランド電極は、大地１４に対して容量１１を有する。但し、図１の例では、容量１１を模式的に１つのコンデンサにより表現しているが、実際にはグランド電極と大地１４との間で多数の容量結合が生じている。同様に、受信機のグランド電極は、大地１４に対して容量１２を有する。また、送信機のグランド電極と受信機のグランド電極との間にも容量１３が存在する。そして、容量１１、１２、１３の総和が、送信機から受信機へと伝達される信号の帰線となる。なお、３０ＭＨｚの周波数帯を利用する場合、容量１１、１２、１３は十分に小さな値であるため、外部環境による伝搬特性への影響はほとんどない。
【００２０】
以上、人体通信の原理について簡単に説明した。次に、人体通信の一利用形態について説明する。
【００２１】
［人体通信の利用形態］
次に、図２は、人体通信の一利用形態について説明するための説明図である。図２には、ユーザが身に付けている情報処理装置１００と情報処理装置２００との間で人体通信を行う様子が示されている。
【００２２】
人体１０の一部が情報処理装置２００に触れ、情報処理装置１００と情報処理装置２００との間で人体通信が開始されると、近傍界１５が発生し、人体１０を経由して情報処理装置１００と情報処理装置２００との間で情報の送受信が可能になる。例えば、人体通信が開始されると、情報処理装置１００に格納された画像Ｐのデータが情報処理装置２００に送られ、情報処理装置２００の表示画面に表示される。
【００２３】
また、人体通信を介して、情報処理装置２００を用いて入力された個人情報のデータ（例えば、アドレス帳のデータなど）を情報処理装置１００に送ることができる。人体通信は、人体１０を介して情報の送受信が行われるため、無線ＬＡＮなどに比べて秘匿性が高い。そのため、人体通信は、個人情報のように漏洩が懸念されるデータの送受信に向いている。なお、図２に例示した利用形態においては、床が大地１４として作用する。
【００２４】
近傍界１５によって情報処理装置１００と情報処理装置２００との間で人体通信が可能になると、ユーザは、例えば、人体通信によって情報処理装置１００に格納されている画像Ｐのデータを情報処理装置２００に送信し、画像Ｐを情報処理装置２００に表示させることが可能になる。なお、ここでは情報処理装置２００に画像Ｐを表示させる利用例を示したが、情報処理装置１００に搭載されたアプリケーションの操作画面を情報処理装置２００に表示させたり、情報処理装置１００に格納された他のコンテンツを情報処理装置２００に表示させたりするような利用形態も考えられる。
【００２５】
また、人体通信が開始された際に、情報処理装置１００に格納されたコンテンツ（例えば、画像Ｐなど）に対する操作（例えば、表示、再生、送信など）を行うための画面が自動的に情報処理装置２００に表示されるようにしてもよい。このような構成にすれば、ユーザは、身に付けた情報処理装置１００に一切触れず、情報処理装置２００に表示された操作画面を操作するだけで情報処理装置１００に格納されたコンテンツに対する操作を行うことが可能になる。例えば、情報処理装置１００を服のポケットに入れたまま、情報処理装置１００に格納された画像Ｐを情報処理装置２００に表示させることが可能になる。
【００２６】
以上、人体通信の一利用形態について説明した。続いて、本開示の好適な実施の形態について説明する。
【００２７】
［情報処理装置の構成］
図３は、本開示の一実施形態にかかる情報処理装置１００の構成を示す説明図である。以下、図３を用いて本開示の一実施形態にかかる情報処理装置１００の構成について説明する。
【００２８】
図３に示したように、本開示の一実施形態にかかる情報処理装置１００は、演算部１０１と、信号発生部１０２と、電流波形計測部１０３，１０７と、導電部１０４，１０６と、Ａ／Ｄコンバータ１０８と、を含んで構成される。
【００２９】
演算部１０１は、情報処理装置１００の内部演算処理を実行する。具体的には、演算部１０１は、内部にカウンタを備え、そのカウンタの値に応じて信号発生部１０２を制御する。演算部１０１には、Ａ／Ｄコンバータ１０８によって生成されるデジタルデータが送られ、そのデジタルデータが演算部１０１で解析されることによって、演算部１０１に備わっているカウンタの値が変化する。
【００３０】
信号発生部１０２は、演算部１０１の制御によって、人体通信のための所定の信号を発生させる。信号発生部１０２は、例えば、人体１０に接続されている他の装置に対して、自装置が保持している接続順位の情報の返信を要請するための信号を生成する。もちろん信号発生部１０２が生成する信号はこの信号に限られるものではなく、演算部１０１の制御によって適宜信号が生成される。信号発生部１０２は、演算部１０１の制御によって信号を発生させると、発生させた信号を電流波形計測部１０３へ出力する。信号発生部１０２が発生させた信号は、電流波形計測部１０３を経由して導電部１０４に印加され、導電部１０４から人体１０へ出力される。
【００３１】
電流波形計測部１０３は、信号発生部１０２が発生させた信号の電流波形を計測する。人体１０が導電部１０４に近接、または接触している場合と、そうでない場合とでは、電流波形計測部１０３に印加される信号の電流波形は異なる。従って、電流波形計測部１０３は、波形の違いを検知することで、人体１０が導電部１０４に近接、または接触しているかどうかを検出する静電センサの役割を有する。また、電流波形計測部１０３は、電流波形の計測結果をＡ／Ｄコンバータ１０８へ送る。
【００３２】
導電部１０４は、信号発生部１０２が発生させた信号を人体１０に導電させる。具体的には、人体１０の一部が導電部１０４に近接すると、情報処理装置１００と人体１０とは、所定の容量Ｃ１によって容量結合されている状態になる。導電部１０４は、情報処理装置１００と人体１０とが容量Ｃ１で容量結合されていることにより、信号発生部１０２が発生させた信号を人体１０に送信することができる。
【００３３】
導電部１０６は、人体１０から送られてくる信号を電流波形計測部１０７へ印加するものである。人体１０から送られてくる信号は、情報処理装置１００とは異なる別の情報処理装置で発生される信号である。人体１０の一部が導電部１０６に近接すると、情報処理装置１００と人体１０とは、所定の容量Ｃ２によって容量結合されている状態になる。導電部１０６は、情報処理装置１００と人体１０とが容量Ｃ２で容量結合されていることにより、他の装置で発生されて、人体１０を流れてきた信号を、電流波形計測部１０７へ印加することができる。
【００３４】
電流波形計測部１０７は、導電部１０６から送られてくる信号の電流波形を計測する。電流波形計測部１０７は、電流波形を計測すると、計測結果をＡ／Ｄコンバータ１０８へ送る。
【００３５】
Ａ／Ｄコンバータ１０８は、電流波形計測部１０３，１０７から送られてくる、それぞれの電流波形の計測結果をデジタルデータに変換する。Ａ／Ｄコンバータ１０８は、デジタルデータに変換した、電流波形の計測結果を演算部１０１に送る。演算部１０１は、Ａ／Ｄコンバータ１０８から電流波形の計測結果をデジタルデータで受け取る事で、導電部１０４から人体１０への信号の送信や、人体１０から導電部１０６への信号の送信を認識して、人体１０への情報処理装置の接続順序を把握することができる。
【００３６】
以上、図３を用いて本開示の一実施形態にかかる情報処理装置１００の構成について説明した。次に、本開示の一実施形態にかかる情報処理装置１００の動作について説明する。
【００３７】
［情報処理装置の動作］
図４は、本開示の一実施形態にかかる情報処理装置１００の動作を示す流れ図である。図４に示した流れ図は、情報処理装置１００が人体１０に近接した際に、その情報処理装置１００が人体１０に接続された順序を認識する際の動作を示したものである。以下、図４を用いて本開示の一実施形態にかかる情報処理装置１００の動作について説明する。
【００３８】
人体１０に、情報処理装置１００とは異なる、別の人体通信が可能な装置が接続されている状態で、情報処理装置１００が人体１０に接続された場合について説明する。なお、別の人体通信が可能な装置は、予め接続順序についての情報を、以下で説明する方法で取得しているものとする。
【００３９】
まず情報処理装置１００は、人体１０への接続を検出する（ステップＳ１０１）。この人体への接続は、例えば、電流波形計測部１０３が計測した電流波形の変化を検出することで、検出することが可能である。すなわち上述したように、人体１０が導電部１０４に近接、または接触している場合と、そうでない場合とでは、電流波形計測部１０３に印加される信号の電流波形は異なるので、電流波形計測部１０３が波形の違いを検知することで、人体１０が導電部１０４に近接、または接触しているかどうかを、演算部１０１が検出することができる。なお、電流波形の変化の検出は、電流波形計測部１０３と電流波形計測部１０７の双方で、また電流波形計測部１０７のみで行われるようにしても良い。
【００４０】
上記ステップＳ１０１で、情報処理装置１００が人体１０への接続を検出すると、続いて、演算部１０１から、他の装置に対して、接続順位情報の送信を要請する信号を、信号発生部１０２から送信させる（ステップＳ１０２）。接続順位情報の送信を要請する信号は、信号発生部１０２から電流波形計測部１０３、導電部１０４を通じて人体１０へ送信される。人体１０は、接続されている他の装置に対して、情報処理装置１００から送信されてきた、接続順位情報の送信を要請する信号を伝送する。
【００４１】
人体１０に接続されている他の装置から、接続順位情報の送信を要請する信号に応じて、自装置が保持している接続順位情報が、人体通信によって送信される。情報処理装置１００は、他の装置から送信されてくる接続順位情報を人体通信によって受信する（ステップＳ１０３）。なお、人体１０に接続されている装置が他に無ければ、接続順位情報は情報処理装置１００には送信されてこない。従って、所定のタイムアウト時間を設け、このタイムアウト時間までに他の装置から接続順位情報が情報処理装置１００に送信されなければ、情報処理装置１００は、人体１０に接続されている装置が他に無いものとみなし、自装置の接続順位を１位に設定してもよい。
【００４２】
上記ステップＳ１０３で、情報処理装置１００が、他の装置から送信されてくる接続順位情報を人体通信によって受信すると、送信されてきた全ての接続順位情報を演算部１０１で取得する。そして演算部１０１は、送信されてきた全ての接続順位情報の中から最大の接続順位情報に、１加算したものを、自装置の接続順位情報に設定する（ステップＳ１０４）。なお、上述のタイムアウト時間までに他の装置から接続順位情報が情報処理装置１００に送信されなければ、情報処理装置１００は、自装置の接続順位情報を１位に設定する。
【００４３】
情報処理装置１００は、このように接続順位情報を設定することで、自装置が何番目に人体１０に接続されたかを容易に知ることができる。そして、このように接続順位情報を設定することで、情報処理装置１００は、例えば、接続順位の高い装置から低い装置へ、または接続順位の低い装置から高い装置へ、画像データ、映像データ、音声データその他のコンテンツデータ等で構成される情報を人体通信によって送信するように制御することができ、人体通信によって装置間で情報を送受信する際に、送信順の設定等の事前の設定を省略して、送受信処理を簡略化し、データの共有を容易に実現することが可能となる。
【００４４】
なお、接続順位の情報は、上述したように人体通信によって設定し、その後のデータの送受信は、人体通信以外の通信（無線通信等）によって行われるようにしても良い。その人体通信以外の通信は、後述の通信部９２６によって行われるようにしても良い。
【００４５】
以上、図４を用いて本開示の一実施形態にかかる情報処理装置１００の動作について説明した。次に、本開示の一実施形態にかかる情報処理装置１００，２００のハードウエア構成例について説明する。
【００４６】
［情報処理装置のハードウエア構成例］
図５は、本開示の一実施形態にかかる情報処理装置１００，２００のハードウエア構成例を示す説明図である。
【００４７】
図５に示すように、情報処理装置１００，２００は、主に、ＣＰＵ９０２と、ＲＯＭ９０４と、ＲＡＭ９０６と、ホストバス９０８と、ブリッジ９１０と、を有する。さらに、情報処理装置１００，２００は、外部バス９１２と、インターフェース９１４と、入力部９１６と、出力部９１８と、記憶部９２０と、ドライブ９２２と、接続ポート９２４と、通信部９２６と、を有する。但し、上記のＣＰＵは、Ｃｅｎｔｒａｌ  Ｐｒｏｃｅｓｓｉｎｇ  Ｕｎｉｔの略である。また、上記のＲＯＭは、Ｒｅａｄ  Ｏｎｌｙ  Ｍｅｍｏｒｙの略である。そして、上記のＲＡＭは、Ｒａｎｄｏｍ  Ａｃｃｅｓｓ  Ｍｅｍｏｒｙの略である。
【００４８】
ＣＰＵ９０２は、例えば、演算処理装置又は制御装置として機能し、ＲＯＭ９０４、ＲＡＭ９０６、記憶部９２０、又はリムーバブル記録媒体９２８に記録された各種プログラムに基づいて各構成要素の動作全般又はその一部を制御する。ＲＯＭ９０４は、ＣＰＵ９０２に読み込まれるプログラムや演算に用いるデータ等を格納する手段である。ＲＡＭ９０６には、例えば、ＣＰＵ９０２に読み込まれるプログラムや、そのプログラムを実行する際に適宜変化する各種パラメータ等が一時的又は永続的に格納される。
【００４９】
これらの構成要素は、例えば、高速なデータ伝送が可能なホストバス９０８を介して相互に接続される。一方、ホストバス９０８は、例えば、ブリッジ９１０を介して比較的データ伝送速度が低速な外部バス９１２に接続される。また、入力部９１６としては、例えば、マウス、キーボード、タッチパネル、ボタン、スイッチ、及びレバー等が用いられる。さらに、入力部９１６としては、赤外線やその他の電波を利用して制御信号を送信することが可能なリモートコントローラ（以下、リモコン）が用いられることもある。
【００５０】
出力部９１８としては、例えば、ＣＲＴ、ＬＣＤ、ＰＤＰ、又はＥＬＤ等のディスプレイ装置、スピーカ、ヘッドホン等のオーディオ出力装置、プリンタ、携帯電話、又はファクシミリ等、取得した情報を利用者に対して視覚的又は聴覚的に通知することが可能な装置である。但し、上記のＣＲＴは、Ｃａｔｈｏｄｅ  Ｒａｙ  Ｔｕｂｅの略である。また、上記のＬＣＤは、Ｌｉｑｕｉｄ  Ｃｒｙｓｔａｌ  Ｄｉｓｐｌａｙの略である。そして、上記のＰＤＰは、Ｐｌａｓｍａ  ＤｉｓｐｌａｙＰａｎｅｌの略である。さらに、上記のＥＬＤは、Ｅｌｅｃｔｒｏ−Ｌｕｍｉｎｅｓｃｅｎｃｅ  Ｄｉｓｐｌａｙの略である。
【００５１】
記憶部９２０は、各種のデータを格納するための装置である。記憶部９２０としては、例えば、ハードディスクドライブ（ＨＤＤ）等の磁気記憶デバイス、半導体記憶デバイス、光記憶デバイス、又は光磁気記憶デバイス等が用いられる。但し、上記のＨＤＤは、Ｈａｒｄ  Ｄｉｓｋ  Ｄｒｉｖｅの略である。
【００５２】
ドライブ９２２は、例えば、磁気ディスク、光ディスク、光磁気ディスク、又は半導体メモリ等のリムーバブル記録媒体９２８に記録された情報を読み出し、又はリムーバブル記録媒体９２８に情報を書き込む装置である。リムーバブル記録媒体９２８は、例えば、ＤＶＤメディア、Ｂｌｕ−ｒａｙメディア、ＨＤ  ＤＶＤメディア、各種の半導体記憶メディア等である。もちろん、リムーバブル記録媒体９２８は、例えば、非接触型ＩＣチップを搭載したＩＣカード、又は電子機器等であってもよい。但し、上記のＩＣは、Ｉｎｔｅｇｒａｔｅｄ  Ｃｉｒｃｕｉｔの略である。
【００５３】
接続ポート９２４は、例えば、ＵＳＢポート、ＩＥＥＥ１３９４ポート、ＳＣＳＩ、ＲＳ−２３２Ｃポート、又は光オーディオ端子等のような外部接続機器９３０を接続するためのポートである。外部接続機器９３０は、例えば、プリンタ、携帯音楽プレーヤ、デジタルカメラ、デジタルビデオカメラ、又はＩＣレコーダ等である。但し、上記のＵＳＢは、Ｕｎｉｖｅｒｓａｌ  Ｓｅｒｉａｌ  Ｂｕｓの略である。また、上記のＳＣＳＩは、Ｓｍａｌｌ  Ｃｏｍｐｕｔｅｒ  Ｓｙｓｔｅｍ  Ｉｎｔｅｒｆａｃｅの略である。
【００５４】
通信部９２６は、ネットワーク９３２に接続するための通信デバイスであり、例えば、有線又は無線ＬＡＮ、Ｂｌｕｅｔｏｏｔｈ（登録商標）、又はＷＵＳＢ用の通信カード、光通信用のルータ、ＡＤＳＬ用のルータ、又は各種通信用のモデム等である。また、通信部９２６に接続されるネットワーク９３２は、有線又は無線により接続されたネットワークにより構成され、例えば、インターネット、家庭内ＬＡＮ、赤外線通信、可視光通信、放送、又は衛星通信等である。但し、上記のＬＡＮは、Ｌｏｃａｌ  Ａｒｅａ  Ｎｅｔｗｏｒｋの略である。また、上記のＷＵＳＢは、Ｗｉｒｅｌｅｓｓ  ＵＳＢの略である。そして、上記のＡＤＳＬは、Ａｓｙｍｍｅｔｒｉｃ  Ｄｉｇｉｔａｌ  Ｓｕｂｓｃｒｉｂｅｒ  Ｌｉｎｅの略である。
【００５５】
以上、本開示の一実施形態にかかる情報処理装置のハードウエア構成例について説明した。次に、本開示の一実施形態にかかる情報処理装置を用いた通信システムの適用例について説明する。
【００５６】
［通信システムの適用例］
上述したように、本開示の一実施形態に係る情報処理装置１００は、人体１０に接続するだけで、自装置が何番目に人体１０に接続されたかを検出することができる。自装置の接続順位を設定することで様々な処理を実現できる。
【００５７】
例えば、図２に示したように、情報処理装置１００と情報処理装置２００とが人体１０に接続されるようなケースにおいて、情報処理装置１００から情報処理装置２００に（または情報処理装置２００から情報処理装置１００に）人体通信によってデータを転送する場合を考える。接続順位が高い方を送信元、接続順位が低い方を送信先と設定し、情報処理装置１００から情報処理装置２００に人体通信でデータを転送する場合には、情報処理装置１００、情報処理装置２００の順で人体１０に接続させれば良い。
【００５８】
また、人体通信が可能な装置が複数ある場合に、上述のように自装置の接続順位を設定することで装置間の関係を容易に設定することができる。
【００５９】
図６は、本開示の一実施形態にかかる情報処理装置を用いた通信システムの適用例を示す説明図である。図６には、人体通信が可能な９つの画像表示装置３００ａ〜３００ｉが示されている。画像表示装置３００ａ〜３００ｉは、例えばスマートフォンやタブレット等の直感的な操作が可能な装置である。この画像表示装置３００ａ〜３００ｉを、縦に３つ、横に３つ並べて、９つの画像表示装置３００ａ〜３００ｉで１つの画像を表示するマルチディスプレイシステムのケースを考える。
【００６０】
従来は、画像表示装置３００ａ〜３００ｉのそれぞれに対し、配置関係を設定する必要があった。また、配置関係の設定に際しては、直感的ではなく、複数の段階を伴う操作を行う必要があった。今後は、図６に示したような複数の画像表示装置を利用して、１枚の画像を拡張表示する機会が増えることが想定される。複数の画像表示装置を利用して、１枚の画像を拡張表示する場合に、それぞれの画像表示装置の上下左右等の位置関係を、各画像表示装置に正確に認識させなければ正常に画像を表示させることができない。従って、位置関係の設定に際して、直感的ではなく、複数の段階を伴う操作をユーザに行わせると、画像表示装置の強みである迅速で直感的な操作を阻害する懸念が生じる。
【００６１】
そこで、上述したような自装置の接続順位の設定方法をこのマルチディスプレイシステムに適用し、画像表示装置を触った順と、画像表示装置の位置関係を予め決定しておくことで、画像表示装置の配置関係を容易に設定することが可能となる。
【００６２】
図７は、本開示の一実施形態にかかる情報処理装置を用いた通信システムの適用例を示す説明図である。例えば、図７に示すように、左上の画像表示装置３００ａを１番目、その下の画像表示装置３００ｂを２番目・・・というように、画像表示装置３００ａ〜３００ｉを触った順と、画像表示装置３００ａ〜３００ｉの位置関係を予め決定しておく。そして、まず画像表示装置３００ａに触り、その後、画像表示装置３００ａを触った状態で画像表示装置３００ｂに触り、画像表示装置３００ｂを触った状態で画像表示装置３００ｃに触り、以後、画像表示装置３００ｉまで順次触っていく。
【００６３】
このように、図７のように画像表示装置３００ａ〜３００ｉを並べ、画像表示装置３００ａ〜３００ｉを順次触っていくことで、画像表示装置３００ａ〜３００ｉの全てに対して接続順位を設定することができる。画像表示装置を触った順と、画像表示装置の位置関係を予め決定しておけば、画像表示装置３００ａ〜３００ｉに順次触るだけで、全ての装置に対して位置関係を設定することが可能となる。
【００６４】
もちろん、本開示の一実施形態に係る情報処理装置を用いた通信システムの適用例は、かかる例に限定されるものではない。その他にも、上述したように、接続順位情報をデータの送信元と送信先として利用することでデータの送受信処理に用いてもよく、また人体に接続された情報処理装置が３つ以上ある場合は、接続順位情報に基づいて、送信元の情報処理装置を１つ、送信先の情報処理装置を２つ決定してデータの送受信処理が行われるような通信システムを構築するようにしても良い。
【００６５】
＜２．まとめ＞
以上説明したように本開示の一実施形態に係る情報処理装置によれば、人体への接続順を取得する際に、他の装置へ向けて接続順位の情報の返信を人体通信によって要請する。要請を受けた装置から接続順位の情報の返信を受けた上記情報処理装置は、その情報に基づいて自装置の接続順位の情報を設定する。このように、人体通信によって接続順位の情報を設定することで、本開示の一実施形態に係る情報処理装置は、容易に人体への接続順位を設定することができる。
【００６６】
人体への接続順位の設定を容易に行えることで、本開示の一実施形態に係る情報処理装置は、例えば他の装置との間で、接続順位によって送受信の役割（送信側となるか受信側となるか）が決まるようなプロトコルを用いて、直感的に情報の送受信を実行することが出来る。また、人体への接続順位の設定を容易に行えることで、本開示の一実施形態に係る情報処理装置は、例えば他の装置と組み合わせて１つの画像を拡大表示するような場合にも、接続順位を設定することで装置間の位置関係を容易に設定できる。例えば、原画像の右半分をどちらの機器で表示させるかなど、装置間の位置関係の情報を指定する必要がある場合に、装置間の位置関係の情報の指定が容易に実行できる。
【００６７】
上述した本開示の好適な実施形態で説明した技術は、ＰＣ、携帯電話、携帯ゲーム機、携帯情報端末、情報家電、カーナビゲーションシステム等、種々の情報処理装置に適用できる。
【００６８】
なお、本明細書において説明した情報処理装置による一連の処理は、ソフトウェア、ハードウエア、及びソフトウェアとハードウエアとの組合せのいずれを用いて実現されてもよい。ソフトウェアを構成するプログラムは、例えば、各装置の内部又は外部に設けられる記憶媒体に予め格納される。そして、各プログラムは、例えば、実行時にＲＡＭ（Ｒａｎｄｏｍ  Ａｃｃｅｓｓ  Ｍｅｍｏｒｙ）に読み込まれ、ＣＰＵなどのプロセッサにより実行される。
【００６９】
以上、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００７０】
なお、本技術は以下のような構成も取ることができる。
（１）
接触又は近接された人体の一部を介して信号を送受信する人体通信部と、
前記人体に前記人体通信部が接触または近接されたことを検出する接続検出部と、
前記人体に前記人体通信部が接触または近接されたことを前記接続検出部が検出すると、前記人体通信部から送信される接続順位情報の返信を、前記人体に接続されている他装置へ要請する信号を生成する信号発生部と、
前記信号発生部が生成した前記信号に応じて前記人体通信部が受信した接続順位情報に基づいて自装置の接続順位を設定する接続順位設定部と、
を備える、情報処理装置。
（２）
前記接続順位設定部が設定した自装置の接続順位と前記他装置の接続順位とに基づいて情報を送信または受信する情報通信部をさらに備える、前記（１）に記載の情報処理装置。
（３）
前記情報通信部は、自装置の接続順位の方が前記他装置の接続順位より高い場合に、自装置を送信元として情報を送信する、前記（２）に記載の情報処理装置。
（４）
前記情報通信部は、自装置の接続順位の方が前記他装置の接続順位より低い場合に、自装置を送信元として情報を送信する、前記（２）に記載の情報処理装置。
（５）
前記情報通信部は、前記他装置との間の送信または受信を人体通信以外の通信によって実行する、前記（２）から（４）のいずれかに記載の情報処理装置。
（６）
前記情報通信部が送受信する情報はコンテンツデータである、前記（２）から（５）のいずれかに記載の情報処理装置。
（７）
前記接続順位設定部は、前記人体通信部が接続順位情報を所定時間受信しなかった場合は、自装置の接続順位情報を１位に設定する、前記（１）に記載の情報処理装置。
（８）
前記接続順位設定部が設定した自装置の接続順位と前記他装置の接続順位とに基づいて決定される１つの画像を拡大表示する際の画像表示領域に従って画像を表示する画像表示部をさらに備える、前記（１）から（７）のいずれかに記載の情報処理装置。
（９）
接触又は近接された人体の一部を介して信号を送受信する人体通信ステップと、
前記人体が接触または近接されたことを検出する接続検出ステップと、
前記人体が接触または近接されたことを前記接続検出ステップで検出すると、前記人体通信ステップによって送信される接続順位情報の返信を要請する信号を生成する信号生成ステップと、
前記信号生成ステップで生成された前記信号に応じて人体通信ステップで受信した接続順位情報に基づいて自装置の接続順位を設定する接続順位設定ステップと、
を備える、情報処理方法。
（１０）
コンピュータに、
接触又は近接された人体の一部を介して信号を送受信する人体通信ステップと、
前記人体が接触または近接されたことを検出する接続検出ステップと、
前記人体が接触または近接されたことを前記接続検出ステップで検出すると、前記人体通信ステップによって送信される接続順位情報の返信を要請する信号を生成する信号生成ステップと、
前記信号生成ステップで生成された前記信号に応じて人体通信ステップで受信した接続順位情報に基づいて自装置の接続順位を設定する接続順位設定ステップと、
を実行させる、コンピュータプログラム。
【符号の説明】
【００７１】
１０      ：人体
１１      ：容量
１２      ：容量
１３      ：容量
１４      ：大地
１５      ：近傍界
１００    ：情報処理装置
１０１    ：演算部
１０２    ：信号発生部
１０３    ：電流波形計測部
１０４    ：導電部
１０６    ：導電部
１０７    ：電流波形計測部
１０８    ：Ａ／Ｄコンバータ
【図１】
2013157789.tif 000003
【図２】
2013157789.tif 000004
【図３】
2013157789.tif 000005
【図４】
2013157789.tif 000006
【図５】
2013157789.tif 000007
【図６】
2013157789.tif 000008
【図７】
2013157789.tif 000009